(57)【特許請求の範囲】
【請求項１】
地面に設置された隔離層と廊下を含み、前記廊下には通行用の通路が設けられ、前記通路にはカード押しで勤務評定する改札機が固定され、前記廊下にはドア枠が設けられ、前記ドア枠には第二出口と第一出口とが前記通路と連通になるように設けられ、人員は前記第二出口と前記第一出口とを通過でき、前記第二出口と前記第一出口との中にはそれぞれドアが設けられ、前記ドアはそれぞれ前記第二出口と前記第一出口とを閉鎖でき、前記通路の下面には立ち台が回動可能に設けられ、前記通路の右内壁には前記通路と連通する摺動道が設けられ、前記摺動道の中には摺動座が摺動可能に設けられ、前記摺動座には画像を生成できるセンサが設けられ、
人が前記立ち台に立つと、前記立ち台につれて回転し、ここで前記センサは人の全身に検査を行い、異常を検出できたら、前記第一出口の中にある前記ドアを開け、さらなる検査に備え、異常なしと判断したら、前記第二出口の中にある前記ドアを開け、人を通し、
前記廊下の右側には検査筐体が設けられ、前記検査筐体の中には搬送ベルト空間が設けられ、前記搬送ベルト空間の中にはベルトが設けられ、前記ベルトには人員の持ち物を受け取る受取ケースが固定され、前記搬送ベルト空間と前記検査筐体とは前後対称になるように設けられた二つの出口摺動道によって連通され、
検査に合格した場合、持ち物は後の前記出口摺動道から送り出され、検査に不合格した場合、前の前記出口摺動道から送り出されることを特徴とする工場用の防犯扉。
【請求項２】
前記廊下の右内壁には制御器が固定され、前記制御器は前記改札機と前記センサと通信可能に連結され、前記摺動道の下側には第一歯車空間が設けられ、前記第一歯車空間の下壁には第一モータが固定され、前記第一モータの出力軸には第一モータ軸が固定され、前記第一モータ軸には第一歯車と第二歯車とが固定され、前記第一歯車は前記第二歯車より直径が長く、前記第一歯車空間と前記摺動道との間には第一ボルトが回動可能に設けられ、前記第一ボルトは前記摺動座とネジ山を介して連結され、前記第一ボルトには第三歯車が固定され、前記第三歯車は前記第一歯車と噛み合っていることを特徴とする請求項１に記載の工場用の防犯扉。
【請求項３】
前記通路の下壁と前記第一歯車空間との間には回動軸が回動可能に設けられ、前記回動軸には第四歯車が固定され、前記第四歯車と前記第二歯車とが噛み合っており、前記回動軸の中にはばね空間が設けられ、前記立ち台と前記回動軸とは摺動可能に連結され、前記立ち台の下面には推動棒が固定され、前記立ち台の下面と前記ばね空間の下壁とはばねによって連結され、前記ばね空間の下壁にはタッチスイッチが固定され、前記タッチスイッチは前記第一モータと通電可能に連結されていることを特徴とする請求項２に記載の工場用の防犯扉。
【請求項４】
前記ドア枠の中には第二歯車空間が設けられ、前記第二歯車空間の後内壁には第二モータが固定され、前記第二モータの出力軸には第二モータ軸が固定され、前記第二モータ軸には第五歯車が固定され、前記第二出口と前記第一出口との中にはそれぞれ第二ボルトが回動可能に設けられ、前記第一出口の前記第二ボルトは後方へ前記第二歯車空間に延在しており、前記第一出口の前記第二ボルトには第六歯車が固定され、前記第六歯車と前記第五歯車とが噛み合っており、前記第二出口の前記第二ボルトと前記第二モータ軸とは自在継手によって連結され、左の前記第二ボルトには第一クラッチが固定され、右の前記第二ボルトには第二クラッチが固定され、前記第二モータと前記第一クラッチと前記第二クラッチとは前記制御器と通電可能に連結され、前記第二ボルトにはネジ山スライダが対称になるように設けられ、前記ネジ山スライダは前記ドアとヒンジを介して連結され、前記ドアは前記第一出口と第二出口との片内壁と摺動可能に連結され、前記第二出口と前記第一出口との下壁には摺動溝が形成され、前記ドアの下面には摺動ピンが固定され、前記摺動ピンは前記摺動溝と摺動可能に連結されていることを特徴とする請求項２に記載の工場用の防犯扉。
【請求項５】
前記検査筐体には前記搬送ベルト空間と連通する載置口が固定され、前記搬送ベルト空間の右内壁には第三モータが固定され、前記第三モータは前記制御器と通電可能に連結され、前記第三モータの出力軸には第一プーリが固定され、前記搬送ベルト空間には第二プーリが回動可能に設けられ、前記ベルトにより前記第二プーリと前記第一プーリとは伝動可能に連結され、前記搬送ベルト空間の上壁には持ち物を検査できる検査器が固定され、前記検査筐体の前後面には載置板が対称になるように固定されていることを特徴とする請求項２に記載の工場用の防犯扉。
【発明の詳細な説明】
【技術分野】
【０００１】
本願発明はセキュリティ分野を取り上げ、特に工場用の防犯扉に関わる。
【背景技術】
【０００２】
工業は、国家にとっての命脈と言っても過言ではない。中国において、工業の発展も重要視されている。一部の工場が生産する装置や部品はかなりの価値を有し、しかし、中で精密な小型部品は非常に管理しにくい。現在、高価値の部品を生産できる工場では、基本的に監視用のカメラは配置されているが、監視カメラはあくまで予防手段として働き、窃盗行為に実質的に対処できない。
【先行技術文献】
【特許文献】
【０００３】
【特許文献１】中国特許出願公開第１０５６１８５４０号明細書
【発明の概要】
【発明が解決しようとする課題】
【０００４】
工場用の防犯扉を提供し、上記問題を解決することを目的とする。
【課題を解決するための手段】
【０００５】
本願に記載の工場用の防犯扉は、地面に設置された隔離層と廊下を含み、前記廊下には通行用の通路が設けられ、前記通路にはカード押しで勤務評定する改札機が固定され、前記廊下にはドア枠が設けられ、前記ドア枠には第二出口と第一出口とが前記通路と連通になるように設けられ、人員は前記第二出口と前記第一出口とを通過でき、前記第二出口と前記第一出口との中にはそれぞれドアが設けられ、前記ドアはそれぞれ前記第二出口と前記第一出口とを閉鎖でき、前記通路の下面には立ち台が回動可能に設けられ、前記通路の右内壁には前記通路と連通する摺動道が設けられ、前記摺動道の中には摺動座が摺動可能に設けられ、前記摺動座には画像を生成できるセンサが設けられ、
人が前記立ち台に立つと、前記立ち台につれて回転し、ここで前記センサは人の全身に検査を行い、異常を検出できたら、前記第一出口の中にある前記ドアを開け、さらなる検査に備え、異常なしと判断したら、前記第二出口の中にある前記ドアを開け、人を通し、
前記廊下の右側には検査筐体が設けられ、前記検査筐体の中には搬送ベルト空間が設けられ、前記搬送ベルト空間の中にはベルトが設けられ、前記ベルトには人員の持ち物を受け取る受取ケースが固定され、前記搬送ベルト空間と前記検査筐体とは前後対称になるように設けられた二つの出口摺動道によって連通され、
検査に合格した場合、持ち物は後の前記出口摺動道から送り出され、検査に不合格した場合、前の前記出口摺動道から送り出される。
【０００６】
上記技術的解決策の上で、前記廊下の右内壁には制御器が固定され、前記制御器は前記改札機と前記センサと通信可能に連結され、前記摺動道の下側には第一歯車空間が設けられ、前記第一歯車空間の下壁には第一モータが固定され、前記第一モータの出力軸には第一モータ軸が固定され、前記第一モータ軸には第一歯車と第二歯車とが固定され、前記第一歯車は前記第二歯車より直径が長く、前記第一歯車空間と前記摺動道との間には第一ボルトが回動可能に設けられ、前記第一ボルトは前記摺動座とネジ山を介して連結され、前記第一ボルトには第三歯車が固定され、前記第三歯車は前記第一歯車と噛み合っている。
【０００７】
上記技術的解決策の上で、前記通路の下壁と前記第一歯車空間との間には回動軸が回動可能に設けられ、前記回動軸には第四歯車が固定され、前記第四歯車と前記第二歯車とが噛み合っており、前記回動軸の中にはばね空間が設けられ、前記立ち台と前記回動軸とは摺動可能に連結され、前記立ち台の下面には推動棒が固定され、前記立ち台の下面と前記ばね空間の下壁とはばねによって連結され、前記ばね空間の下壁にはタッチスイッチが固定され、前記タッチスイッチは前記第一モータと通電可能に連結されている。
【０００８】
上記技術的解決策の上で、前記ドア枠の中には第二歯車空間が設けられ、前記第二歯車空間の後内壁には第二モータが固定され、前記第二モータの出力軸には第二モータ軸が固定され、前記第二モータ軸には第五歯車が固定され、前記第二出口と前記第一出口との中にはそれぞれ第二ボルトが回動可能に設けられ、前記第一出口の前記第二ボルトは後方へ前記第二歯車空間に延在しており、前記第一出口の前記第二ボルトには第六歯車が固定され、前記第六歯車と前記第五歯車とが噛み合っており、前記第二出口の前記第二ボルトと前記第二モータ軸とは自在継手によって連結され、左の前記第二ボルトには第一クラッチが固定され、右の前記第二ボルトには第二クラッチが固定され、前記第二モータと前記第一クラッチと前記第二クラッチとは前記制御器と通電可能に連結され、前記第二ボルトにはネジ山スライダが対称になるように設けられ、前記ネジ山スライダは前記ドアとヒンジを介して連結され、前記ドアは前記第一出口と第二出口との片内壁と摺動可能に連結され、前記第二出口と前記第一出口との下壁には摺動溝が形成され、前記ドアの下面には摺動ピンが固定され、前記摺動ピンは前記摺動溝と摺動可能に連結されている。
【０００９】
上記技術的解決策の上で、前記検査筐体には前記搬送ベルト空間と連通する載置口が固定され、前記搬送ベルト空間の右内壁には第三モータが固定され、前記第三モータは前記制御器と通電可能に連結され、前記第三モータの出力軸には第一プーリが固定され、前記搬送ベルト空間には第二プーリが回動可能に設けられ、前記ベルトにより前記第二プーリと前記第一プーリとは伝動可能に連結され、前記搬送ベルト空間の上壁には持ち物を検査できる検査器が固定され、前記検査筐体の前後面には載置板が対称になるように固定されている。
【発明の効果】
【００１０】
本発明は以下のプラス効果を有する：本願発明はタイムカードによる勤怠管理を防犯作業に合わせ、より効率的に出入人員を監視でき、ある程度には人群の混乱を避けられ、また、人員検査用の扉を二つ設置し、異常と認定された者は、正常と認定された者から切り離され、即ち通過効率を上げられ、また、出入者と出入者の持ち物とを分けて検査を行い、検査結果によって持ち物の出入口は変わり、即ち持ち物の混在を避けられ、普及に値する。
【図面の簡単な説明】
【００１１】
下記に図１〜４を合わせて本発明について詳しく説明し、便利に説明するために、本願に記載の各方向を以下のように規定する：図１は本願発明の正面図であり、本願に記載の各方向は、図１における観察方向に基づくものである。
【００１２】
【図１】図１は本願発明の全体構成略図
【図２】図２は本願発明の上面構成略図
【図３】図３は図２におけるＡ―Ａ方向からの断面構成略図
【図４】図４は図２におけるＢ―Ｂ方向からの断面構成略図
【発明を実施するための形態】
【００１３】
図１〜４を参照し、本願に記載の工場用の防犯扉は、地面に設置された隔離層１０と廊下１１を含み、前記廊下１１には通行用の通路１７が設けられ、前記通路１７にはカード押しで勤務評定する改札機１２が固定され、前記廊下１１にはドア枠１８が設けられ、前記ドア枠１８には第二出口２１と第一出口２２とが前記通路１７と連通になるように設けられ、人員は前記第二出口２１と前記第一出口２２とを通過でき、前記第二出口２１と前記第一出口２２との中にはそれぞれドア２４が設けられ、前記ドア２４はそれぞれ前記第二出口２１と前記第一出口２２とを閉鎖でき、前記通路１７の下面には立ち台３４が回動可能に設けられ、前記通路１７の右内壁には前記通路１７と連通する摺動道３５が設けられ、前記摺動道３５の中には摺動座３７が摺動可能に設けられ、前記摺動座３７には画像を生成できるセンサ３６が設けられ、
人が前記立ち台３４に立つと、前記立ち台３４につれて回転し、ここで前記センサ３６は人の全身に検査を行い、異常を検出できたら、前記第一出口２２の中にある前記ドア２４を開け、さらなる検査に備え、異常なしと判断したら、前記第二出口２１の中にある前記ドア２４を開け、人を通し、
前記廊下１１の右側には検査筐体１６が設けられ、前記検査筐体１６の中には搬送ベルト空間５４が設けられ、前記搬送ベルト空間５４の中にはベルト５７が設けられ、前記ベルト５７には人員の持ち物を受け取る受取ケース６０が固定され、前記搬送ベルト空間５４と前記検査筐体１６とは前後対称になるように設けられた二つの出口摺動道５３によって連通され、
検査に合格した場合、持ち物は後の前記出口摺動道５３から送り出され、検査に不合格した場合、前の前記出口摺動道５３から送り出される。
【００１４】
好ましくは、前記廊下１７の右内壁には制御器３９が固定され、前記制御器３９は前記改札機１２と前記センサ３６と通信可能に連結され、前記摺動道３５の下側には第一歯車空間４７が設けられ、前記第一歯車空間４７の下壁には第一モータ４９が固定され、前記第一モータ４９の出力軸には第一モータ軸１３が固定され、前記第一モータ軸１３には第一歯車５０と第二歯車５１とが固定され、前記第一歯車５０は前記第二歯車５１より直径が長く、前記第一歯車空間４７と前記摺動道３５との間には第一ボルト３８が回動可能に設けられ、前記第一ボルト３８は前記摺動座３７とネジ山を介して連結され、前記第一ボルト３８には第三歯車５２が固定され、前記第三歯車５２は前記第一歯車５０と噛み合っており、
前記第一モータ４９を作動させることで、前記第一歯車５０は駆動されて回転し、前記第三歯車５２をつれて回転させ、続いて前記第一ボルト３８は前記第三歯車５２につれて回転し、前記摺動座３７を上下移動させることで、前記センサ３６は上下しながら人の全身をスキャンできる。
【００１５】
好ましくは、前記通路１７の下壁と前記第一歯車空間４７との間には回動軸４２が回動可能に設けられ、前記回動軸４２には第四歯車４８が固定され、前記第四歯車４８と前記第二歯車５１とが噛み合っており、前記回動軸４２の中にはばね空間４３が設けられ、前記立ち台３４と前記回動軸４２とは摺動可能に連結され、前記立ち台３４の下面には推動棒４４が固定され、前記立ち台３４の下面と前記ばね空間４３の下壁とはばね４５によって連結され、前記ばね空間４３の下壁にはタッチスイッチ４６が固定され、前記タッチスイッチ４６は前記第一モータ４９と通電可能に連結され、
人が前記立ち台３４に立つと、前記立ち台３４は下方へ摺動して前記推動棒４４を下方へ摺動させ、前記推動棒４４は続いて前記タッチスイッチ４６を入れることで、前記第一モータ４９を作動させ、前記第一モータ４９が前記立ち台３４を駆動して一周回したら、前記タッチスイッチ４６は前記第一モータ４９に回転を止めさせ、ここで前記摺動座３７は前記センサ３６をつれて前記摺動道３５の上下限界位置まで運動させ、次の人が前記立ち台３４に立ったら、前記タッチスイッチ４６は前記第一モータ４９を制御して逆回転させ、このように繰り返す。
【００１６】
好ましくは、前記ドア枠１８の中には第二歯車空間２７が設けられ、前記第二歯車空間２７の後内壁には第二モータ２９が固定され、前記第二モータ２９の出力軸には第二モータ軸３０が固定され、前記第二モータ軸３０には第五歯車３１が固定され、前記第二出口２１と前記第一出口２２との中にはそれぞれ第二ボルト２３が回動可能に設けられ、前記第一出口２２の前記第二ボルト２３は後方へ前記第二歯車空間２７に延在しており、前記第一出口２２の前記第二ボルト２３には第六歯車２８が固定され、前記第六歯車２８と前記第五歯車３１とが噛み合っており、前記第二出口２１の前記第二ボルト２３と前記第二モータ軸３０とは自在継手３２によって連結され、左の前記第二ボルト２３には第一クラッチ２６が固定され、右の前記第二ボルト２３には第二クラッチ３３が固定され、前記第二モータ２９と前記第一クラッチ２６と前記第二クラッチ３３とは前記制御器３９と通電可能に連結され、前記第二ボルト２３にはネジ山スライダ２５が対称になるように設けられ、前記ネジ山スライダ２５は前記ドア２４とヒンジを介して連結され、前記ドア２４は前記第一出口２２と第二出口２１との片内壁と摺動可能に連結され、前記第二出口２１と前記第一出口２２との下壁には摺動溝４０が形成され、前記ドア２４の下面には摺動ピン４１が固定され、前記摺動ピン４１は前記摺動溝４０と摺動可能に連結され、
異常なしと検査できたら、前記制御器３９は前記第二モータ２９を制御して作動させることで、前記第一クラッチ２６を分離させ、且つ前記第二クラッチ３３を連結させ、前記第二モータ２９はまた前記第二出口２１の前記第二ボルト２３を回転させることで、前記ドア２４を開け、ここで人は通過でき、異常ありと検査できたら、前記制御器３９は前記第一クラッチ２６を制御して連結させ、且つ前記第二クラッチ３３を制御して分離させることで、前記第一出口２２の前記ドア２４を開ける。
【００１７】
好ましくは、前記検査筐体１６には前記搬送ベルト空間５４と連通する載置口１５が固定され、前記搬送ベルト空間５４の右内壁には第三モータ５９が固定され、前記第三モータ５９は前記制御器３９と通電可能に連結され、前記第三モータ５９の出力軸には第一プーリ５８が固定され、前記搬送ベルト空間５４には第二プーリ５５が回動可能に設けられ、前記ベルト５７により前記第二プーリ５５と前記第一プーリ５８とは伝動可能に連結され、前記搬送ベルト空間５４の上壁には持ち物を検査できる検査器５６が固定され、前記検査筐体１６の前後面には載置板１４が対称になるように固定され、
検査時に、持ち物を前記載置口１５を介して前記受取ケース６０に置き、前記制御器３９又は前記検査器５６が異常なしと検査できたら、前記第三モータ５９が前記受取ケース６０にある物を後の前記出口摺動道５３から前記載置板１４に摺動させ、前記制御器３９又は前記検査器５６が異常ありと検査できたら、前記制御器３９は前記第三モータ５９を制御して逆回転させることで、前記受取ケース６０にある物は前の前記出口摺動道５３から前の前記載置板１４に送られる。
【００１８】
人が通過しようとする時に、持ち物を載置口１５を介して受取ケース６０に置き、まず改札機１２によってカード押しで勤務評定を行い、次に通路１７に入り、人が立ち台３４に立ち、立ち台３４は下方へ摺動して推動棒４４を下方へ摺動させ、推動棒４４は続いてタッチスイッチ４６を入れることで、第一モータ４９を作動させ、第一モータ４９を作動させることで、第一歯車５０は駆動されて回転し、第三歯車５２をつれて回転させ、続いて第一ボルト３８は第三歯車５２につれて回転し、摺動座３７を上下移動させることで、センサ３６は上下しながら人の全身をスキャンでき、第一モータ４９が立ち台３４を駆動して一周回したら、タッチスイッチ４６は第一モータ４９に回転を止めさせ、ここで摺動座３７はセンサ３６をつれて摺動道３５の上下限界位置まで運動させ、次の人が立ち台３４に立ったら、タッチスイッチ４６は第一モータ４９を制御して逆回転させ、このように繰り返し、制御器３９は第二モータ２９を制御して作動させることで、第一クラッチ２６を分離させ、且つ第二クラッチ３３を連結させ、第二モータ２９はまた第二出口２１の第二ボルト２３を回転させることで、ドア２４を開け、ここで人は通過でき、制御器３９又は検査器５６が異常なしと検査できたら、第三モータ５９が受取ケース６０にある物を後の出口摺動道５３から載置板１４に摺動させ、異常ありと検査できたら、制御器３９は第一クラッチ２６を制御して連結させ、且つ第二クラッチ３３を制御して分離させることで、第一出口２２のドア２４を開け、制御器３９又は検査器５６が異常ありと検査できたら、制御器３９は第三モータ５９を制御して逆回転させることで、受取ケース６０にある物は前の出口摺動道５３から前の載置板１４に送られる。
【００１９】
以上の方式により、当該分野の技術者は本願発明の範囲内で作業状況に応じて様々な改変を加えることができる。  
【要約】
【課題】本願は工場用の防犯扉を開示した。
【解決手段】
本願に記載の工場用の防犯扉は、地面に設置された隔離層と廊下を含み、前記廊下には通行用の通路が設けられ、前記通路にはカード押しで勤務評定する改札機が固定され、前記廊下にはドア枠が設けられ、前記ドア枠には第二出口と第一出口とが前記通路と連通になるように設けられ、人員は前記第二出口と前記第一出口とを通過でき、前記第二出口と前記第一出口との中にはそれぞれドアが設けられ、前記ドアはそれぞれ前記第二出口と前記第一出口とを閉鎖でき、前記通路の下面には立ち台が回動可能に設けられ、前記通路の右内壁には前記通路と連通する摺動道が設けられている。
【選択図】図１【図１】
0006802444.tif 000002
【図２】
0006802444.tif 000003
【図３】
0006802444.tif 000004
【図４】
0006802444.tif 000005